(57)【要約】【課題】  従来の位置決めパネルでは、電気製品の脚を固定する穴に設置することで僅かなクリアランスでも確実に保持して位置決めはできるが、据え付ける際、スライドさせることも、またガイドがないため穴の位置に合わせることも困難であり、また、水漏れが生じた際、水漏れが前面に流出するように前面を除く外周３方向に壁を設け、水漏れが生じていることを確認でき、床または他の部分への被害の拡大を防止できるが、前面に流出するもので被害はおきてしまうという問題があった。【解決手段】  透明な防水パネル２は、薄いシート状のパネルに水使用電気製品の脚部を支持案内し、位置決めできる固定部を具備して前面を除く外周３方向に壁５を設け、前面壁１０は折り曲げ自在に立ち上げられるように構成し、前面壁１０の内側下部に水分が触れると、水を吸水し、水を少量前面壁より外にしみ出させる紐状の物品１１を設けた防水パネルからなるドレンパンである。【選択図】図４
2006112034.tif 000002
【特許請求の範囲】
【請求項１】
家具などの構造物に設けられた所望のスペースに組み込むビルトインタイプの水使用電気製品と、この一体型家具に組み込むビルトイン水使用電気製品との間に設けるクリアランスを保持するための防水パネルであって、前記防水パネルは、薄いシート状のパネルに水使用電気製品の脚部を支持案内し、位置決めできる固定部を具備して前面を除く外周３方向に壁を設け、前面の壁は足かせパネルの上部に一体的に設けるように構成したことを特徴とする防水パネルからなるドレンパン。
【請求項２】
家具などの構造物に設けられた所望のスペースに組み込むビルトインタイプの水使用電気製品と、この一体型家具に組み込むビルトイン水使用電気製品との間に設けるクリアランスを保持するための防水パネルであって、前記防水パネルは、薄いシート状のパネルに水使用電気製品の脚部を支持案内し、位置決めできる固定部を具備して前面を除く外周３方向に壁を設け、前面の壁は折り曲げ自在に立ち上げられるように構成したことを特徴とする防水パネルからなるドレンパン。
【請求項３】
前面の壁を含めて、外周４方向の壁全てを折り曲げ自在に立ち上げられるように構成したことを特徴とする請求項２記載の防水パネルからなるドレンパン。
【請求項４】
前記防水パネルを透明材で形成したことを特徴とする請求項１〜請求項３のいずれか１項に記載の防水パネルからなるドレンパン。
【請求項５】
前記前面壁の内側に水分が触れると水分を吸水し、水を少量前面壁より外にしみ出させる紐状の物品を設けたことを特徴とする請求項１〜請求項４のいずれか１項に記載の防水パネルからなるドレンパン。
【請求項６】
水使用電気製品が前方に動き出てくるのを押さえる前面壁である足かせパネルの上部に一体的に設けた防水堰を設け、その防水堰と左右壁との間隙のつなぎ合わせの隙間に超吸水性部材を貼着して防水を奏するようにしたことを特徴とする請求項１記載の防水パネルからなるドレンパン。
【発明の詳細な説明】
【技術分野】
【０００１】
本発明は、ビルトインタイプのドラム式洗濯機、食器洗い機等の水使用電気製品と、この水使用電気製品を収容する家具等の構造物との間に設けられるクリアランスを確実に保つための位置決めと水使用電気製品からの水漏れが生じた時の被害拡大を防止する防水パネルからなるドレンパンに関するものである。
【背景技術】
【０００２】
従来、ビルトインタイプの電気洗濯機は既に市販されており、ワンルームマンションの家具やシステムキッチンなどに組み込まれて使用されている。その設置の際には、給水管・排水管の場所、電源の場所等がさまざまに考慮されて電気洗濯機及び家具等の位置決めが為されるが、電気洗濯機及び家具等は、時間の経過と共に決められた位置からずれていくことを防止するビルトイン家具を収容することができる家電一体型家具と、この家具一体型家具に組み込むビルトイン家電との間に設けるクリアランスを保持するためのパネルであって、家電一体型家具の支持部とビルトイン家電の支持部とを所定の間隔をおいて固定する手段を具備する位置決めパネル（例えば、特許文献１参照）が存在している。
また、給水ホースと排水ホースの少なくともいずれか一方を有する水使用機器と、この水使用機器の設置面に取り付ける防水トレーとを備え、前記防水トレーは、少なくとも給水ホースまたは排水ホースの接続部からの水漏れが前面に流出すように前面を除く外周３方向に壁を設け、防水トレーは表面に凸状のリブを有する水使用機器用防水装置（例えば、特許文献２参照）が存在している。
【特許文献１】特許第２７４０６２９号公報（特許請求の範囲の欄、実施例の欄の段落｛００１０｝〜｛００１４｝、及び図１、図２を参照）
【特許文献２】特開平１１−１６６２５４号公報（特許請求の範囲の欄、実施例の欄の段落｛００２３｝〜｛００３４｝、及び図１〜図４を参照）
【発明の開示】
【発明が解決しようとする課題】
【０００３】
しかしながら、前記従来技術においては、床強度がどんなに強くても、また、いくらコストをかけて床の補強をしたとしても、モータが発する振動のために電気洗濯機の位置は確実にずれる。おおよそ１０００回転で動作する電気洗濯機の位置を保つことはまず無理であろう。近年普及しつつあるドラム回転式の洗濯機ではなおさらである。
ビルトイン電気洗濯機の位置が移動すると、設置時において設けた家具との間の僅かな間隙、すなわちクリアランスが保てなくなる。すると、ビルトイン電気洗濯機と家具との間で頻繁に衝突が起こり、ビルトイン電気洗濯機の自由な動作が制限される。安定性が悪くなり、バランスを崩した場合には、高速回転を行うモータを有する電気洗濯機は緊急停止する。とりわけビルトインタイプのものは、所望のスペースへきちきちに収容するため、家具類と電気製品との間の間隙は非常に小さい。よって、上記の点を特に考慮したビルトインタイプの電気製品を設置する際に設ける微妙なクリアランスを確実に保つ位置決めパネルでは、僅かなクリアランスでも確実に保持することはできるが、防水の考慮はされていない。また、ビルトインタイプの電気製品を家具などの構造物に設けられた所望のスペースに組み込み据え付ける際、電気製品の脚を固定する穴に固定することで位置決めはできるが、据え付ける際、スライドさせることも、またガイドがないため穴の位置に合わせることも困難であるという問題があった。
さらに、水漏れが生じた際、水漏れが前面に流出するように前面を除く外周３方向に壁を設け、水漏れが生じていることを確認でき、床または他の部分への被害の拡大を防止できるが、前面に流出するもので被害はおきてしまうという問題があった。
そこで、本発明は、このような事情に鑑み、従来のものとは違って、家具などの構造物に設けられた所望のスペースに組み込むビルトインタイプの水使用電気製品と、この一体型家具に組み込むビルトイン水使用電気製品との間に設けるクリアランスを保持するための防水パネルであって、前記防水パネルは、薄いシート状のパネルに水使用電気製品の脚部を支持案内し、位置決めできる固定部を具備して前面を除く外周３方向に壁を設け、前面の壁は折り曲げ自在に立ち上げられるように構成した防水パネルからなるドレンパンを提供することを目的とするものである。
【課題を解決するための手段】
【０００４】
上記課題を解決するための本発明の第１発明は、請求項１に記載された通りの防水パネルからなるドレンパンであり、次のようなものである。
家具などの構造物に設けられた所望のスペースに組み込むビルトインタイプの水使用電気製品と、この一体型家具に組み込むビルトイン水使用電気製品との間に設けるクリアランスを保持するための防水パネルであって、前記防水パネルは、薄いシート状のパネルに水使用電気製品の脚部を支持案内し、位置決めできる固定部を具備して前面を除く外周３方向に壁を設け、前面の壁は足かせパネルの上部に一体的に設けるようにする構成である。
【０００５】
上記課題を解決するための本発明の第２発明は、請求項２に記載された通りの防水パネルからなるドレンパンであり、次のようなものである。
家具などの構造物に設けられた所望のスペースに組み込むビルトインタイプの水使用電気製品と、この一体型家具に組み込むビルトイン水使用電気製品との間に設けるクリアランスを保持するための防水パネルであって、前記防水パネルは、薄いシート状のパネルに水使用電気製品の脚部を支持案内し、位置決めできる固定部を具備して前面を除く外周３方向に壁を設け、前面の壁は折り曲げ自在に立ち上げられる構成である。
【０００６】
上記課題を解決するための本発明の第３発明は、請求項３に記載された通りの防水パネルからなるドレンパンであり、次のようなものである。
請求項２記載の発明に加えて、前面の壁を含めて、外周４方向の壁全てを折り曲げ自在に立ち上げられる構成である。
【０００７】
上記課題を解決するための本発明の第４発明は、請求項４に記載された通りの防水パネルからなるドレンパンであり、次のようなものである。
請求項１〜請求項３のいずれか１項に記載の発明に加えて、前記防水パネルを透明材で形成する構成である。
【０００８】
上記課題を解決するための本発明の第５発明は、請求項５に記載された通りの防水パネルからなるドレンパンであり、次のようなものである。
請求項１〜請求項４のいずれか１項に記載の発明に加えて、前記前面壁の内側に水分が触れると水分を吸水し、水を少量前面壁より外にしみ出させる紐状の物品を設ける構成である。
【０００９】
上記課題を解決するための本発明の第６発明は、請求項６に記載された通りの防水パネルからなるドレンパンであり、次のようなものである。
請求項１記載の発明に加えて、水使用電気製品が前方に動き出てくるのを押さえる前面壁である足かせパネルの上部に一体的に設けた防水堰を設け、その防水堰と左右壁との間隙のつなぎ合わせの隙間に超吸水性部材を貼着して防水を奏する構成である。
【発明の効果】
【００１０】
本発明に係る防水パネルからなるドレンパンは、上記説明のような構成であるので、以下に記載する効果を奏する。
（１）本発明の請求項１〜３に記載の発明によれば、家具等の構造物とビルトインタイプの水使用電気製品との相対的位置関係を常に一定とすると共に、水使用電気製品の組み付けに際して薄いシート状のパネル上を滑らせて、水使用電気製品の脚部を支持案内して位置決めできる固定部を具備されているので、極めて簡易に組み付けが可能であり、しかも組み付けが終了した後、防水パネルの前面を除く外周３方向の壁と、前面の壁を足かせパネルの上部に一体的に設けるようにする、また折り曲げ立ち上げることにより防水ドレンパンを形成できるので、万が一漏水しても床、家具等を濡らすことがないものである。
（２）本発明の請求項４に記載の発明によれば、防水パネルを透明材で形成することで、壁が水使用電気製品の本体ととけあって、違和感がなく、さらに床立上げの排水ホース、給水ホースとの連結用の口を形成する上で、その位置が目視ができるので、現場等での作業が極めて簡単にできるものである。
（３）本発明の請求項５に記載の発明によれば、さらに加えて漏水があっても透明ドレンパンに溜まっている水分に触れることで水を吸水し、水を少量前面壁より外にしみ出させる紐状の物品を有しているため、前方に少量の水が流れ出てくるので目立ち、すぐに処置することができるものである。
（４）本発明の請求項６に記載の発明によれば、水使用電気製品が前方に動き出てくるのを押さえる前面壁である足かせパネルの上部に一体的に設けた防水堰を設け、その防水堰と左右壁との間隙のつなぎ合わせの隙間に超吸水性部材を貼着して防水を奏するので、壁の角隅部の水仕舞いを簡単に行うことができる。
【発明を実施するための最良の形態】
【００１１】
家具等の構造物に設けられた所望のスペースに組み込むビルトインタイプの水使用電気製品と、この一体型家具に組み込むビルトイン水使用電気製品との間に設けるクリアランスを保持するための薄い透明な防水パネルであって、前記透明な防水パネルは、水使用電気製品の脚部を支持案内し位置決めできる固定具を具備して、前面を除く外周３方向に壁を設け、前面の壁は足かせパネルの上部に一体的に設けるようにする、あるいは折り曲げ自在に立ち上げ、この前面の壁と接する他の２方向壁との接続部に超吸水部材を設けた透明防水パネルからなるドレンパン。
【実施例】
【００１２】
以下、本発明の実施例を添付図面で詳細に説明する。
本発明の実施例について、図面を参照しながら説明する。
図１に示すものは、本発明の一実施例であり、（イ）はドラム式洗濯機を載置した所を示し、給水、排水関係部材を水使用電気製品の横に設けるタイプの透明防水パネルからなるドレンパンの正面図、（ロ）は同側面図と、封鍼部の詳細拡大図、（ハ）はドラム式洗濯機を取り除いた状態の防水パネルからなるドレンパンの平面図であり、図２に示すものは、本発明の透明な防水パネルからなるドレンパンで、給排水関係部材が後方にあるものに対応させた状態を示す斜視図であり、図３は、図２の透明防水パネルからなるドレンパンの他の実施例であり、（イ）は足かせパネルを取り付ける前の状態を示す平面図、（ロ）は背面図、（ハ）は右側面図、（ニ）は足かせパネルを示す平面図で、足かせパネルを矢印のように衝突させて、図４に示すようにシースルードレンパンを形成するものである。図４は、透明防水パネルからなるドレンパンの完成状態を示す平面図で、ドレンパンの側壁と足かせパネルに形成した防水堤の側部との防水を行うための水仕舞いに関するもので隙間に超吸水部材を介して特別な防水加工を施さなくともよいという具体的な実施例を示す拡大部分図である。
【００１３】
ここで、本発明の透明（シースルー）ドレンパンについて説明する。
従来のドレンパンは上から洗濯物を投入する日本の洗濯機用に開発された製品であり、家具のカウンター下にビルトインする考えはなく、ただ万が一の洗濯機からの水漏れを受け止め排水トラップの目皿から漏水を排水系統に逃がす構造となっている。
一方、前から洗濯物を投入するドラム式洗濯機や食洗機などが普及し始めるにつれて、これらビルトイン機器を床に設置された家具の横に並べたり、カウンター下にビルトインしたりして、インテリア家具と同居させるライフスタイルも又普及しつつある。しかしながら、従来のドレンパンでは床と同一レベルでの設置ができないばかりでなく、同居している美しいインテリア家具に比べて違和感があり、ましてや狭い家具のカウンター下にビルトインすることができず、床と同一レベルで設置でき、美しい意匠性を保つことができ、重量物である機器を容易にビルトインでき、ビルトインされる家具との間隙を極力少なくでき、水漏れ事故を防止できるドレンパンの要求がにわかに高まってきている。これらの要求を満たすべく開発されたのが本発明の透明（シースルー）ドレンパンである。
【００１４】
次に、本発明の防水パネルからなるドレンパンの設置について説明する。
家具等の構造物とビルトインタイプの水使用電気製品を組み付ける際、薄いシート状の透明な防水パネル２に水使用電気製品１の脚部を支持案内し、位置決めできる発泡シート（例えば、厚み約４ｍｍのもの）等からなる固定具３を具備し、前面４を除く外周３方向の壁を形成した状態で床面等設置場所に例えば両面接着テープ等で固定する。
この状態で前面から薄いシート状の透明な防水パネル２から水使用電気製品１をスライドさせながら押し込み、手前の足かせパネル７で、家具などの構造物とビルトインタイプ水使用電気製品１との相対的位置関係を保持し、かつその足かせパネルの上部に一体的に形成した堰からなる防水堤と、左右の壁を接着テープ等で足かせパネルに固定した超吸水性部材で塞ぐことにより水に触れると瞬時に超吸水性部材が膨張して水の通り道を塞いで前面への水のバリヤーを構築できるものである。
【００１５】
ここで、具体的な実施例について詳細に説明する。
水使用電気製品１、例えばドラム式洗濯機は、家具等の構造物、例えば収納キャビネットの中に一定の隙間を設けて設置されている。そして左右、あるいは後方には給水ホース、排水ホース等水関係の各部品が接続されている。（図１に示すものは右方に設けた実施例である。）ドラム式洗濯機を設置している床面には、前面を除く外周３方向に壁５を形成した透明な防水パネル２を例えば、両面接着テープ６等で固定する。前記前面を除く外周３方向の壁５は、収納キャビネットの内面に接して取り付けられる。ドラム式洗濯機の側方に給水弁を取り付け、給水ホースの一方は給水弁に接続し、他方は給水栓に接続され、給水ホースには常に水道水圧がかかった状態になっているものである。
ドラム式洗濯機は、振動防止やバランスをとるために錘を取り付けている。このため、ドラム式洗濯機の重量が重くなっている。従って、収納キャビネット内に設置する際、ドラム式洗濯機を持ち上げて設置することが困難であり、給水ホース、排水ホースをドラム式洗濯機に接続しておき、薄い透明な防水パネル１の前面側から透明な防水パネル１面を滑らせながら設置する。これは従来の防水パンと異なり、前面の壁は平状になっているため、ドラム式洗濯機を滑らせて容易に設置することができる。さらにこの状態に足かせパネル７を外側から設置して、前面の防水堤を足かせパネルの上部に一体的に設けることにより、防水バリヤーにしたり、透明防水パネルの端部を折り曲げ立ち上げて防水バリヤーの壁を有するドレンパンを形成するものである。
【００１６】
また、ドラム式洗濯機は脱水時の高速回転により踊って移動したり、振動が洗濯機の故障を引き起こしたりするため、家具等の構造物とビルトインタイプのドラム式洗濯機との相対的位置関係を常に一定にすることと、ドラム式洗濯機を滑らせて設置できるようにすると共に、ドラム式洗濯機に給水、排水ホースを接続した状態で滑らせて設置し、その接続が不十分であったりすると、水道水圧が加わっているため、水が漏れる可能性が常にある。この漏水を受けられるドレンパンの役目も備えるようにしたものである。
【００１７】
この漏れた水や泡は、ドラム式洗濯機の下に設置した透明な防水パネルからなるドレンパンに溜まり、床面を濡らすこともなく、また漏れた水が他の部分に流れ出すこともない。
また、図１の（ロ）及び図４に示すように、水分に触れると水を毛細管現象を利用して吸水し、水を少量前面壁より外にしみ出させる紐状の物品１１を透明な前面の壁の下部に設けてあるので、漏れ水があると少量の水が紐状の物品１１の先端から前方に流れ出てくるので速やかに確認でき、排水処置を施すことができる。
【００１８】
次に、ドレンパンを図２〜図４に基づいて詳細に説明する。
薄い透明な防水パネル２（例えば、硬質塩ビシートで厚さは略０．５ｍｍ）に前面を除く外周３方向に壁５を立ち上げて形成できるように設け、前方からドラム式洗濯機の脚部が入って案内できる２本の切り欠き溝８と後方に給水、排水用の口が形成できるように切り欠き部９を形成した、例えばポリプロピレン発泡シート、厚さが略４ｍｍの固定部３を例えば、両面接着テープ等で透明な防水パネル２に固設する。
また、前面４を除く外周３方向の壁５は折り曲げ立ち上げ、防水処理を行なったり、一体的に形成し、これを家具等の構造物の床面に接着テープ等で固定し、前面側から前記２本の切り欠き溝８を案内にしてドラム式洗濯機の脚部を利用して滑らせて設置すると、決められた位置に容易に設置される。さらに、手前側の足かせパネル７をドラム式洗濯機の脚部を固定するように設置、固定する。最後に前面４の壁、すなわち、足かせパネル７の上部に一体的に設けた堰である防水堤、または防水パネル２の前方の延長部を折り曲げ立ち上げて前面壁１０を形成し、防水処理、例えば超吸水性部材６を間隙に挿入して防水処理を行ってドレンパンを形成するものである。
【００１９】
なお、従来一般的に行われている洗濯機用として使用されているドレンパンには、排水に使用する水封トラップが適用されている。この水封トラップは、漏れた水を目皿を通して排水管に接続して排出されるものである。本発明では、この従来の洗濯機排水用の水封トラップを利用して透明な防水パネルにも排水用の水封トラップを用いるため、その水封トラップが取り付けられている位置に合わせるように、孔を穿設して水封トラップを設けるようにできることはいうまでもなく、水漏れ対策としては、より良くなることはいうまでもない。
また、給水管、給湯管は図２に示すようにドレンパンとの間を防水処理している。
【００２０】
また、従来はドラム式洗濯機を収納キャビネットに設置するとき、ドラム式洗濯機は重量が大きいため、防水パネル２の上をスライドして収納キャビネット内に設置する。このとき、押し込みすぎると、ドラム式洗濯機の背面、または側面が収納キャビネットの内壁に接触しても確認できない状態になる。このままドラム式洗濯機を運転すると脱水のとき、ドラム式洗濯機の振動が収納キャビネットに伝わり、収納キャビネットを振動させたり、騒音を発生する。
しかし、本発明では家具などの構造物とビルトインタイプのドラム式洗濯機との相対的位置関係は常に一定に保たれているので、脱水時等に収納キャビネットに振動が伝わることもなく、外観上きれいに施工でき、設置の作業性を向上することができる。
【００２１】
なお、外周４方向の壁の防水処理としては、隙間がないようにするのではなく、積極的に少しの隙間を設けておき、この隙間に超吸水部材６を接着テープ等で接着させて水に触れると、数倍に膨れ上がって隙間をふさぎ、水を止めることができるようにすることも可能である。
また、紙で箱を作成するように、壁の形成には、薄い防水パネルの３方向に折り曲げ用筋を付け、薄い防水パネルのコーナー部２箇所に折り曲げ幅、対角方向に折り曲げ用筋を付けて折り曲げ用筋を谷折り、山折りに折り込んで、コーナー部の裏面から両面接着テー部等で貼着することもできる。
【００２２】
以上、本発明の具体的実施例として、薄い透明な防水パネルについて説明したが、半透明、不透明な防水パネルでも可能なことはいうまでもない。
【産業上の利用可能性】
【００２３】
水使用電気製品だけでなく、ビルトインタイプの家具に組み付ける製品であれば利用でき、水漏れがなくとも相対的位置関係を常に一定にすることができるので、広範囲のものに採用することができる。
【図面の簡単な説明】
【００２４】
【図１】本発明の具体的な実施例として、（イ）はドラム式洗濯機を設置した状態を示す正面図、（ロ）は同側面図、（ハ）はドラム式洗濯機を取り除いた状態を示すドレンパンの平面図である。
【図２】本発明の透明な防水パネルからなるドレンパンで、給排水が後方にあるものに対応させた状態を示す斜視図である。
【図３】図２の透明防水パネルからなるドレンパンで、（イ）は足かせパネルを取り付ける前の平面図、（ロ）は背面図、（ハ）は右側面図、（ニ）は足かせパネルの平面図である。
【図４】図３の組み立てが完了した状態を示す平面図である。
【符号の説明】
【００２５】
１・・・・水使用電気製品                ２・・・・透明な防水パネル
３・・・・固定部                        ４・・・・前面
５・・・・外周３方向の壁                ６・・・・超吸水性部材
７・・・・足かせパネル                  ８・・・・切り欠き溝
９・・・・切り欠き部                  １０・・・・前面壁
１１・・・・紐状の物品
【図１】
2006112034.tif 000003
【図２】
2006112034.tif 000004
【図３】
2006112034.tif 000005
【図４】
2006112034.tif 000006